(57)【要約】  本発明は、同じ報告期間の運転データを得るための通信を、複数の記憶装置の各々について互いに異なる時刻に分散できるデータ取得システム（１）を提供することを目的とする。データ取得システム（１）は、複数の遠隔監視装置（１３）と、データ取得装置（１４）と、を備える。複数の遠隔監視装置（１３）の各々は、対応するエレベーター（２）の運転データを更新しながら記憶する。複数の遠隔監視装置（１３）の各々は、再現用データを記憶する。再現用データは、報告期間の切替時刻における運転データを当該切替時刻の後に再現するためのデータである。データ取得装置（１４）は、複数の遠隔監視装置（１３）の各々から当該切替時刻の後の互いに異なる時刻に再現用データを取得する。
2019193656.tif 000002
【特許請求の範囲】
【請求項１】
エレベーターの運転データを各々が更新しながら記憶し、報告期間の切替時刻における前記運転データを前記切替時刻の後に再現するための再現用データを各々が記憶する複数の記憶装置と、
前記複数の記憶装置の各々から前記切替時刻の後の互いに異なる時刻に前記再現用データを取得するデータ取得装置と、
を備えるエレベーターのデータ取得システム。
【請求項２】
前記複数の記憶装置の各々は、前記切替時刻における運転データを前記再現用データとして記憶する請求項１に記載のエレベーターのデータ取得システム。
【請求項３】
前記複数の記憶装置の各々は、更新によって要素の値が変化する計測データおよび更新によって時刻と関連付けられた要素が追加される履歴データを運転データとして記憶し、前記切替時刻における計測データを前記再現用データとして記憶する請求項１に記載のエレベーターのデータ取得システム。
【請求項４】
前記複数の記憶装置の各々は、前記切替時刻における運転データと現在時刻における運転データとの差分を再現用データとして更新しながら記憶する請求項１に記載のエレベーターのデータ取得システム。
【請求項５】
前記複数の記憶装置の各々は、更新によって要素の値が変化する計測データおよび更新によって要素が追加される履歴データを運転データとして記憶し、前記切替時刻における計測データを前記再現用データの一部として記憶し、前記切替時刻における履歴データと現在時刻における履歴データとの差分を再現用データの他の一部として更新しながら記憶する請求項１に記載のエレベーターのデータ取得システム。
【請求項６】
前記複数の記憶装置の各々は、更新によって要素の値が変化する計測データおよび更新によって時刻と関連付けられた要素が追加される履歴データを運転データとして記憶し、前記切替時刻における計測データと現在時刻における計測データとの差分を再現用データとして更新しながら記憶する請求項１に記載のエレベーターのデータ取得システム。
【発明の詳細な説明】
【技術分野】
【０００１】
本発明は、エレベーターのデータ取得システムに関する。
【背景技術】
【０００２】
特許文献１にデータ取得システムの例が記載されている。データ取得システムは、複数の記憶装置とデータ取得装置とを備える。複数の記憶装置の各々は、運転の状態を表すデータをエレベーターから読み出して運転データとして記憶する。データ取得装置は、複数の記憶装置の各々が記憶している運転データを得るための通信を、互いに異なる時刻に分散する。
【先行技術文献】
【特許文献】
【０００３】
【特許文献１】日本特開平１０−３０２１８０号公報
【発明の概要】
【発明が解決しようとする課題】
【０００４】
しかしながら、特許文献１に記載のデータ取得システムにおいて、データ取得装置が取得する運転データは、取得された時刻における運転データである。すなわち、データ取得装置は、複数のエレベーターの各々から互いに異なる時刻の運転データを取得する。一方、運転データを得る対象となる報告期間が指定されている場合に、報告期間の切替時刻における運転データが必要になる。このため、データ取得装置は、同じ報告期間の運転データを得るための通信を、複数の記憶装置の各々について互いに異なる時刻に分散できない。【０００５】
本発明は、このような課題を解決するためになされた。本発明の目的は、同じ報告期間の運転データを得るための通信を、複数の記憶装置の各々について互いに異なる時刻に分散できるデータ取得システムを提供することである。
【課題を解決するための手段】
【０００６】
本発明に係るエレベーターのデータ取得システムは、エレベーターの運転データを各々が更新しながら記憶し、報告期間の切替時刻における運転データを切替時刻の後に再現するための再現用データを各々が記憶する複数の記憶装置と、複数の記憶装置の各々から切替時刻の後の互いに異なる時刻に再現用データを取得するデータ取得装置と、を備える。
【発明の効果】
【０００７】
本発明によれば、複数の記憶装置の各々は、再現用データを記憶する。再現用データは、報告期間の切替時刻における運転データを切替時刻の後に再現するためのデータである。データ取得装置は、複数の記憶装置の各々から切替時刻の後の互いに異なる時刻に再現用データを取得する。これにより、データ取得システムは、同じ報告期間の運転データを得るための通信を、複数のエレベーターの各々について互いに異なる時刻に分散できる。
【図面の簡単な説明】
【０００８】
【図１】実施の形態１に係るデータ取得システムの構成図である。
【図２】実施の形態１に係るデータ取得テーブルの例を示す図である。
【図３】実施の形態１に係るデータ取得システムにおけるデータの例を示す図である。
【図４】実施の形態１に係る遠隔監視装置の動作の例を示すフローチャートである。
【図５】実施の形態１に係るデータ取得装置の動作の例を示すフローチャートである。
【図６】実施の形態１に係るデータ取得システムの主要部のハードウェア構成を示す図である。
【図７】実施の形態２に係るデータ取得システムにおけるデータの例を示す図である。
【図８】実施の形態３に係るデータ取得システムにおけるデータの例を示す図である。
【図９】実施の形態３に係る遠隔監視装置の動作の例を示すフローチャートである。
【図１０】実施の形態４に係るデータ取得システムにおけるデータの例を示す図である。
【図１１】実施の形態５に係るデータ取得システムにおけるデータの例を示す図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１は、実施の形態１に係るデータ取得システムの構成図である。
【００１１】
データ取得システム１は、複数のエレベーター２の各々について適用される。
【００１２】
複数のエレベーター２の各々は、複数の建築物３の各々に設けられる。
【００１３】
複数の建築物３の各々は、複数の階を有する。複数の建築物３の各々において、昇降路４は、複数の階の各々を貫く。複数の建築物３の各々は、複数の乗場５を有する。複数の乗場５の各々は、複数の階の各々に設けられる。複数の乗場５の各々は、昇降路４に対向する。複数の乗場５の各々は、乗場扉６を備える。
【００１４】
複数のエレベーター２の各々は、かご７と、釣合オモリ８と、巻上機９と、主ロープ１０と、制御盤１１と、を備える。
【００１５】
かご７は、昇降路４の内部において昇降しうるように設けられる。かご７は、かご扉１２を備える。かご扉１２は、かご７が複数の階のいずれかに停止している場合に、乗場扉６を連動させて開閉しうるように構成される。
【００１６】
釣合オモリ８は、昇降路４の内部において昇降しうるように設けられる。
【００１７】
巻上機９は、昇降路４の内部の上部に設けられる。
【００１８】
主ロープ１０は、巻上機９に巻き掛けられる。主ロープ１０は、両端部がかご７および釣合オモリ８にそれぞれ保持される。
【００１９】
制御盤１１は、昇降路４の内部の上部に設けられる。制御盤１１は、かご７の動作を制御しうるように、かご７と接続される。かご７の動作は、かご扉１２の開閉を含む。制御盤１１は、巻上機９の動作を制御しうるように、巻上機９と接続される。巻上機９の動作は、起動および停止を含む。制御盤１１は、かご７および巻上機９から状態データを受信しうるように構成される。状態データは、エレベーター２の運転の状態を表すデータである。
【００２０】
データ取得システム１は、複数の遠隔監視装置１３と、データ取得装置１４と、を備える。
【００２１】
複数の遠隔監視装置１３の各々は、記憶装置の例である。複数の遠隔監視装置１３の各々は、複数のエレベーター２の各々に対応する。複数の遠隔監視装置１３の各々は、対応するエレベーター２が設けられる建築物３の例えば管理室に設けられる。複数の遠隔監視装置１３の各々は、第１記憶部１３１と、生成部１３２と、第２記憶部１３３と、送信部１３４と、を備える。
【００２２】
第１記憶部１３１は、状態データを受信しうるように制御盤１１に接続される。第１記憶部１３１は、受信する状態データによって運転データを更新しながら記憶しうるように構成される。運転データは、エレベーター２の運転の状態を表すデータである。ここで、運転の状態は、例えば、運転の履歴および異常または変調の情報などを含む。変調は、異常に至る前の変化である。
【００２３】
生成部１３２は、運転データを取得しうるように、第１記憶部１３１に接続される。生成部１３２は、報告期間の切替時刻に、運転データから再現用データを生成しうるように構成される。報告期間は、エレベーター２の管理者などに対してエレベーター２の運転の履歴および異常または変調などを報告する対象となる期間である。切替時刻は、報告期間の開始時刻または終了時刻である。報告期間は、生成部１３２に記憶される。再現用データは、報告期間の切替時刻における運転データを再現するためのデータである。生成部１３２は、再現用データを更新しうるように第２記憶部１３３に接続される。
【００２４】
第２記憶部１３３は、再現用データを記憶しうるように構成される。
【００２５】
送信部１３４は、再現用データを取得しうるように、第２記憶部１３３に接続される。送信部１３４は、再現用データを送信しうるように、通信回線１５を通じてデータ取得装置１４に接続される。通信回線１５は、例えば電話回線である。
【００２６】
データ取得装置１４は、データ取得部１４１と、運転データ記憶部１４２と、報告データ生成部１４３と、を備える。
【００２７】
データ取得部１４１は、データ取得テーブルに基づいて再現用データを受信しうるように、通信回線１５を通じて複数の遠隔監視装置１３の各々に接続される。データ取得テーブルは、複数のエレベーター２の各々について報告期間およびデータ取得時刻を対応させるテーブルである。データ取得時刻は、複数のエレベーター２の各々が対応する遠隔監視装置１３の各々とデータ取得部１４１とがデータの通信を行う時刻である。データ取得時刻は、複数のエレベーター２の各々について、互いに異なる時刻が設定される。データ取得部１４１は、取得したデータに基づいて、報告期間の切替時刻における運転データを再現しうるように構成される。データ取得部１４１は、再現された運転データを送信しうるように、運転データ記憶部１４２に接続される。
【００２８】
運転データ記憶部１４２は、運転データを記憶しうるように構成される。
【００２９】
報告データ生成部１４３は、運転データを取得しうるように運転データ記憶部１４２に接続される。報告データ生成部１４３は、取得した運転データに基づいて報告データを生成しうるように構成される。報告データは、報告期間のエレベーター２の運転の履歴および異常または変調などを含む。
【００３０】
エレベーター２の運転において、制御盤１１は、巻上機９を起動させる。主ロープ１０は、巻上機９に駆動されて移動する。かご７と釣合オモリ８とは、図示しないガイドレールに沿って主ロープ１０の移動に追従して昇降する。かご７は、乗場５が設けられる階に停止する。乗場扉６は、かご扉１２に連動して開く。エレベーター２の利用者は、乗場５からかご７に乗車または降車する。
【００３１】
制御盤１１は、運転データを更新しながら記憶する。報告期間の切替時刻に、制御盤１１は、再現用データを生成する。データ取得装置１４は、データ取得テーブルに基づいて、複数のエレベーター２の各々から互いに異なる時刻に再現用データを取得する。データ取得装置１４は、再現用データから運転データを再現する。データ取得装置１４は、再現された運転データから報告データを生成する。
【００３２】
続いて、図２を用いてデータ取得テーブルの例を説明する。
図２は、実施の形態１に係るデータ取得テーブルの例を示す図である。
【００３３】
データ取得テーブルは、データ取得部１４１に記憶される。
【００３４】
データ取得テーブルは、複数のエレベーター２の各々について、例えば、報告期間、報告データ生成時刻およびデータ取得時刻を対応させる。報告データ生成時刻は、データ取得装置１４が再現された運転データから報告データを生成する時刻である。報告期間の終了時刻は、次の報告期間の開始時刻である。ここで、ある日の２４時００分は、翌日の０時００分と同時刻である。データ取得テーブルが複数のエレベーター２の各々に対応づける報告期間は、各々のエレベーター２に対応する遠隔監視装置１３の生成部１３２と同じである。
【００３５】
この例において、エレベーターＥ１の報告期間は、毎月の１日の０時００分から末日の２４時００分になるまでである。エレベーターＥ１の報告期間の終了時刻は、毎月の末日の２４時００分である。エレベーターＥ１の報告データ生成時刻は、翌月の１５日の１２時００分である。エレベーターＥ１のデータ取得時刻は、翌月の５日の０時３０分である。
【００３６】
エレベーターＥ２の報告期間は、毎月の１日の０時００分から末日の２４時００分になるまでである。エレベーターＥ２の報告データ生成時刻は、翌月の２０日の１２時００分である。エレベーターＥ２のデータ取得時刻は、翌月の１０日の３時００分である。
【００３７】
エレベーターＥ３の報告期間は、毎月の１日の０時００分から末日の２４時００分になるまでである。エレベーターＥ３の報告データ生成時刻は、翌月の２０日の１２時００分である。エレベーターＥ３のデータ取得時刻は、翌月の１５日の４時４５分である。
【００３８】
エレベーターＥ１、エレベーターＥ２およびエレベーターＥ３の報告期間は、互いに同一である。エレベーターＥ１、エレベーターＥ２およびエレベーターＥ３のデータ取得時刻は、互いに異なる。
【００３９】
続いて、図３を用いてデータ取得システム１の機能を説明する。
図３は、実施の形態１に係るデータ取得システムにおけるデータの例を示す図である。
図３において、３月の報告データを図２のエレベーターＥ２について生成する場合が例として説明される。
【００４０】
運転データＤ１は、履歴データＤａと計測データＤｂとを含む。履歴データＤａは、更新によって時刻と関連付けられた要素が追加されるデータである。履歴データＤａの要素は、例えば、異常または変調の事象が発生した時刻と関連付けられる当該時刻を表すコードである。図３において、要素に関連付けられる時刻のうち、日付のみが表示される。計測データＤｂは、更新によって要素の値が変化するデータである。計測データＤｂの要素は、例えば、巻上機９の起動回数、かご７の累積走行時間またはかご扉１２の開閉回数である。図３において、計測データＤｂの要素の一部の例として、起動回数が表示される。
【００４１】
異常または変調の事象を表す状態データを受信したときに、第１記憶部１３１は、当該事象が発生した時刻と関連付けて当該事象を表すコードを履歴データＤａの要素として追加する。第１記憶部１３１は、記憶容量の範囲の内で、追加される要素を記憶し続ける。記憶容量が不足する場合に、第１記憶部１３１は、関連付けられる時刻の古い要素から削除する。第１記憶部１３１は、例えば少なくとも２月以上の間は要素が削除されないために充分な記憶容量を持つ。すなわち、第１記憶部１３１は、３月以前の情報を含む履歴データＤａを記憶している。
【００４２】
巻上機９の起動を表す状態データを受信したときに、第１記憶部１３１は、巻上機９の起動回数を表す計測データＤｂの要素の値に１を加算する。第１記憶部１３１は、例えば少なくとも２月以上の間累積された起動回数を、計測データＤｂの要素の１つの値として記憶する。すなわち、第１記憶部１３１は、３月以前の情報を含む計測データＤｂを記憶している。
【００４３】
遠隔監視装置１３の生成部１３２は、３月１日の０時００分に、第１記憶部１３１から運転データＤ１を取得する。３月１日の０時００分は、２月の報告期間の終了時刻および３月の報告期間の開始時刻である。生成部１３２は、取得した運転データＤ１をコピーすることによって再現用データＤ２を生成する。生成部１３２が生成した再現用データＤ２は、３月１日の０時００分における運転データＤ１と同一である。すなわち、再現用データＤ２は、履歴データＤａと計測データＤｂとを含む。生成部１３２は、再現用データＤ２を第２記憶部１３３に送信する。
【００４４】
第２記憶部１３３は、再現用データＤ２を記憶している。第２記憶部１３３は、生成部１３２から受信した再現用データＤ２で上書きすることによって記憶している再現用データＤ２を更新する。３月の報告期間の間、第２記憶部１３３は、３月１日の０時００分における運転データＤ１と同一の再現用データＤ２を記憶している。
【００４５】
データ取得装置１４のデータ取得部１４１は、３月１０日の３時００分に、データ要求信号をエレベーターＥ２に対応する遠隔監視装置１３に送信する。３月１０日の３時００分は、データ取得テーブルによってエレベーターＥ２に対応づけられるデータ取得時刻である。
【００４６】
データ要求信号を受信したときに、遠隔監視装置１３の送信部１３４は、第２記憶部１３３から再現用データＤ２を取得する。送信部１３４は、再現用データＤ２をデータ取得部１４１に送信する。
【００４７】
データ取得部１４１は、取得した再現用データＤ２をコピーすることによって３月１日の０時００分における運転データＤ１を再現する。データ取得部１４１は、再現した運転データＤ１を運転データ記憶部１４２に送信する。
【００４８】
運転データ記憶部１４２は、受信した２月の報告期間の終了時刻における運転データＤ１を記憶する。
【００４９】
４月においても同様にして、データ取得装置１４は４月１日の０時００分における運転データＤ１を、４月１０日の３時００分に取得する再現用データＤ２によって再現する。４月１日の０時００分は、３月の報告期間の終了時刻および４月の報告期間の開始時刻である。４月１０日の３時００分は、データ取得テーブルによってエレベーターＥ２に対応づけられるデータ取得時刻である。
【００５０】
エレベーターＥ２の報告データ生成時刻に、報告データ生成部１４３は、２月の報告期間の終了時刻における運転データＤ１および３月の報告期間の終了時刻における運転データＤ１を運転データ記憶部１４２から取得する。報告データ生成部１４３は、取得した運転データＤ１に基づいて報告データＤ３を生成する。
【００５１】
報告データ生成部１４３は、２月の報告期間の終了時刻における履歴データＤａに含まれず、かつ、３月の報告期間の終了時刻における履歴データＤａに含まれる要素を抽出する。この例において、報告データ生成部１４３は、３月２日に発生した事象Ｂを表す要素および３月１２日に発生した事象Ｃを表す要素を抽出する。報告データ生成部１４３は、抽出した要素を報告データＤ３の履歴データＤａとする。
【００５２】
報告データ生成部１４３は、２月の報告期間の終了時刻における計測データＤｂの要素の値と３月の報告期間の終了時刻における計測データＤｂの要素の値との差分を算出する。この例において、報告データ生成部１４３は、３月１日０時００分における起動回数３００００回と４月１日０時００分における起動回数３１０００回との差分を１０００回として算出する。報告データ生成部１４３は、算出した値を報告データＤ３の計測データＤｂの要素の値とする。
【００５３】
続いて、図４を用いて遠隔監視装置１３の動作を説明する。
図４は、実施の形態１に係る遠隔監視装置の動作の例を示すフローチャートである。
【００５４】
ステップＳ１０１において、第１記憶部１３１は、受信した状態データに基づいて、記憶している運転データを更新する。その後、遠隔監視装置１３の動作は、ステップＳ１０２に進む。
【００５５】
ステップＳ１０２において、生成部１３２は、現在時刻が報告期間の切替時刻であるかを判定する。判定結果がＹｅｓの場合、遠隔監視装置１３の動作は、ステップＳ１０３に進む。判定結果がＮｏの場合、遠隔監視装置１３の動作は、ステップＳ１０４に進む。
【００５６】
ステップＳ１０３において、生成部１３２は、再現用データを生成する。その後、第２記憶部１３３は、生成部１３２から受信した再現用データに基づいて、記憶している再現用データを更新する。その後、遠隔監視装置１３の動作は、ステップＳ１０４に進む。
【００５７】
ステップＳ１０４において、送信部１３４は、データ要求信号を受信したかを判定する。判定結果がＮｏの場合、遠隔監視装置１３の動作は、ステップＳ１０１に進む。判定結果がＹｅｓの場合、遠隔監視装置１３の動作は、ステップＳ１０５に進む。
【００５８】
ステップＳ１０５において、送信部１３４は、再現用データをデータ取得装置１４に送信する。その後、遠隔監視装置１３の動作は、ステップＳ１０１に進む。
【００５９】
続いて、図５を用いてデータ取得装置１４の動作を説明する。
図５は、実施の形態１に係るデータ取得装置の動作の例を示すフローチャートである。
【００６０】
ステップＳ２０１において、データ取得部１４１は、未選択リストから１つのエレベーター２を選択する。未選択リストは、まだ選択されていないエレベーター２のリストである。その後、データ取得部１４１は、選択されたエレベーター２を未選択リストから除く。その後、データ取得装置１４の動作は、ステップＳ２０２に進む。
【００６１】
ステップＳ２０２において、データ取得部１４１は、データ取得テーブルに基づいて、現在時刻が選択したエレベーター２のデータ取得時刻であるかを判定する。判定結果がＹｅｓの場合、データ取得装置１４の動作は、ステップＳ２０３に進む。判定結果がＮｏの場合、データ取得装置１４の動作は、ステップＳ２０５に進む。
【００６２】
ステップＳ２０３において、データ取得部１４１は、選択したエレベーター２に対応する遠隔監視装置１３にデータ要求信号を送信する。その後、データ取得部１４１は、遠隔監視装置１３から再現用データを受信するまで待機する。その後、データ取得装置１４の動作は、ステップＳ２０４に進む。
【００６３】
ステップＳ２０４において、データ取得部１４１は、受信した再現用データに基づいて、選択したエレベーター２の報告期間の切替時刻における運転データを再現する。その後、運転データ記憶部１４２は、データ取得部１４１が再現した運転データを記憶する。その後、データ取得装置１４の動作は、ステップＳ２０５に進む。
【００６４】
ステップＳ２０５において、報告データ生成部１４３は、データ取得テーブルに基づいて、現在時刻が選択したエレベーター２の報告データ生成時刻であるかを判定する。判定結果がＹｅｓの場合、データ取得装置１４の動作は、ステップＳ２０６に進む。判定結果がＮｏの場合、データ取得装置１４の動作は、ステップＳ２０７に進む。
【００６５】
ステップＳ２０６において、報告データ生成部１４３は、報告データを生成する。その後、データ取得装置１４の動作は、ステップＳ２０７に進む。
【００６６】
ステップＳ２０７において、データ取得部１４１は、例えば未選択リストが空であるかによって、全てのエレベーター２を選択したかを判定する。判定結果がＮｏの場合、データ取得装置１４の動作は、ステップＳ２０１に進む。判定結果がＹｅｓの場合、データ取得装置１４の動作は、ステップＳ２０８に進む。
【００６７】
ステップＳ２０８において、報告データ生成部１４３は、例えばデータ取得テーブルに基づいて全てのエレベーター２を未選択リストに戻すことによって、未選択リストをリセットする。その後、データ取得装置１４の動作は、ステップＳ２０１に進む。
【００６８】
以上に説明したように、実施の形態１に係るデータ取得システム１は、複数の遠隔監視装置１３と、データ取得装置１４と、を備える。複数の遠隔監視装置１３の各々は、対応するエレベーター２の運転データを更新しながら記憶する。複数の遠隔監視装置１３の各々は、再現用データを記憶する。再現用データは、報告期間の切替時刻における運転データを当該切替時刻の後に再現するためのデータである。データ取得装置１４は、複数の遠隔監視装置１３の各々から当該切替時刻の後の互いに異なる時刻に再現用データを取得する。
【００６９】
再現用データの生成は、複数の遠隔監視装置１３の各々によって、データ取得装置１４との通信を伴わずに同時刻に行われる。一方、再現用データの通信は、複数の遠隔監視装置１３の各々について互いに異なる時刻に行われる。これにより、データ取得装置１４は、同じ報告期間の運転データを得るための通信を、複数の遠隔監視装置１３の各々について互いに異なる時刻に分散できる。データ取得システム１は、同時刻における運転データを得るために同時刻に通信する必要がない。このため、データ取得システム１は、同時刻に通信を行うために通信機器を増設することなく、同時刻における運転データを得ることができる。
【００７０】
再現用データは、データ取得装置１４との通信を伴わずに生成される。これにより、データ取得装置１４は、指定された時刻における運転データを通信状況によらずに得ることができる。
【００７１】
また、複数の遠隔監視装置１３の各々は、切替時刻における運転データを再現用データとして記憶する。
【００７２】
第２記憶部１３３は、切替時刻における運転データと同一の再現用データを記憶する。これにより、データ取得部１４１は、例えばコピーによって容易に運転データを再現できる。
【００７３】
なお、制御盤１１は、遠隔監視装置１３の代わりにまたは遠隔監視装置１３と協同して記憶装置として働いてもよい。記憶装置は、制御盤１１および遠隔監視装置１３と別体に設けられてもよい。
【００７４】
複数のエレベーター２の一部または全部は、同一の建築物３に設けられてもよい。
【００７５】
遠隔監視装置１３およびデータ取得装置１４が記憶する報告期間、データ取得時刻および報告データ生成時刻は、遠隔からの信号または保守員などの直接の操作によって変更されてもよい。
【００７６】
複数のエレベーター２の一部の報告期間は、複数のエレベーター２の他の一部と異なってもよい。報告期間は、１月より長い期間または短い期間でもよい。
【００７７】
報告データは、保守員などの操作によって生成されてもよい。報告データ生成時刻は、複数のエレベーター２の一部または全部について同一でもよい。
【００７８】
続いて、図６を用いてデータ取得システム１のハードウェア構成の例について説明する。
図６は、実施の形態１に係るデータ取得システムの主要部のハードウェア構成を示す図である。
【００７９】
データ取得システム１の各機能は、処理回路により実現し得る。処理回路は、少なくとも１つのプロセッサ１ｂと少なくとも１つのメモリ１ｃとを備える。処理回路は、プロセッサ１ｂおよびメモリ１ｃと共に、あるいはそれらの代用として、少なくとも１つの専用のハードウェア１ａを備えてもよい。
【００８０】
処理回路がプロセッサ１ｂとメモリ１ｃとを備える場合、データ取得システム１の各機能は、ソフトウェア、ファームウェア、またはソフトウェアとファームウェアとの組み合わせで実現される。ソフトウェアおよびファームウェアの少なくとも一方は、プログラムとして記述される。そのプログラムはメモリ１ｃに格納される。プロセッサ１ｂは、メモリ１ｃに記憶されたプログラムを読み出して実行することにより、データ取得システム１の各機能を実現する。
【００８１】
プロセッサ１ｂは、ＣＰＵ（Ｃｅｎｔｒａｌ  Ｐｒｏｃｅｓｓｉｎｇ  Ｕｎｉｔ）、処理装置、演算装置、マイクロプロセッサ、マイクロコンピュータ、ＤＳＰともいう。メモリ１ｃは、例えば、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等により構成される。
【００８２】
処理回路が専用のハードウェア１ａを備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。
【００８３】
データ取得システム１の各機能は、それぞれ処理回路で実現することができる。あるいは、データ取得システム１の各機能は、まとめて処理回路で実現することもできる。データ取得システム１の各機能について、一部を専用のハードウェア１ａで実現し、他部をソフトウェアまたはファームウェアで実現してもよい。このように、処理回路は、ハードウェア１ａ、ソフトウェア、ファームウェア、またはこれらの組み合わせでデータ取得システム１の各機能を実現する。
【００８４】
実施の形態２．
実施の形態２では、実施の形態１で開示された例と相違する点について詳しく説明する。実施の形態２で説明しない特徴については、実施の形態１で開示された例のいずれの特徴が採用されてもよい。
【００８５】
図７は、実施の形態２に係るデータ取得システムにおけるデータの例を示す図である。
図７において、３月の報告データを図２のエレベーターＥ２について生成する場合が例として説明される。
【００８６】
遠隔監視装置１３の送信部１３４は、運転データを取得しうるように、第１記憶部１３１に接続される。送信部１３４は、再現用データを取得しうるように、第２記憶部１３３に接続される。送信部１３４は、運転データおよび再現用データを送信しうるように、通信回線１５を通じてデータ取得装置１４に接続される。
【００８７】
データ取得装置１４のデータ取得部１４１は、データ取得テーブルに基づいて運転データおよび再現用データを受信しうるように、通信回線１５を通じて複数の遠隔監視装置１３の各々に接続される。
【００８８】
遠隔監視装置１３の生成部１３２は、３月１日の０時００分に、第１記憶部１３１から運転データＤ１の計測データＤｂを取得する。３月１日の０時００分は、２月の報告期間の終了時刻および３月の報告期間の開始時刻である。生成部１３２は、取得した計測データＤｂをコピーすることによって再現用データＤ２を生成する。生成部１３２が生成した再現用データＤ２は、３月１日の０時００分における運転データＤ１の計測データＤｂと同一である。生成部１３２は、再現用データＤ２を第２記憶部１３３に送信する。
【００８９】
第２記憶部１３３は、再現用データＤ２を記憶している。第２記憶部１３３は、生成部１３２から受信した再現用データＤ２で上書きすることによって記憶している再現用データＤ２を更新する。３月の報告期間の間、第２記憶部１３３は、３月１日の０時００分における運転データＤ１の計測データＤｂと同一の再現用データＤ２を記憶している。
【００９０】
データ取得装置１４のデータ取得部１４１は、３月１０日の３時００分に、データ要求信号をエレベーターＥ２に対応する遠隔監視装置１３に送信する。３月１０日の３時００分は、データ取得テーブルによってエレベーターＥ２に対応づけられるデータ取得時刻である。
【００９１】
データ要求信号を受信したときに、遠隔監視装置１３の送信部１３４は、第２記憶部１３３から再現用データＤ２を取得する。送信部１３４は、運転データＤ１および再現用データＤ２をデータ取得部１４１に送信する。
【００９２】
データ取得部１４１は、取得した運転データＤ１の履歴データＤａから、３月１日の０時００分以前の時刻に関連付けられる要素を抽出する。データ取得部１４１は、抽出された要素によって履歴データＤａを生成する。データ取得部１４１は、取得した再現用データＤ２をコピーすることによって計測データＤｂを生成する。データ取得部１４１は、生成した履歴データＤａおよび計測データＤｂによって、３月１日の０時００分における運転データＤ１を再現する。データ取得部１４１は、再現した運転データＤ１を運転データ記憶部１４２に送信する。
【００９３】
運転データ記憶部１４２は、受信した２月の報告期間の終了時刻における運転データＤ１を記憶する。
【００９４】
以上に説明したように、実施の形態２に係る複数の遠隔監視装置１３の各々は、計測データおよび履歴データを運転データとして記憶する。計測データは、更新によって要素の値が変化する。履歴データは、更新によって時刻と関連付けられた要素が追加される。複数の遠隔監視装置１３の各々は、報告期間の切替時刻における計測データを再現用データとして記憶する。
【００９５】
第２記憶部１３３は、切替時刻における運転データと同一の計測データを記憶する。これにより、データ取得部１４１は、例えばコピーによって容易に運転データの計測データを再現できる。履歴データの要素は、時刻と関連付けられる。このため、データ取得部１４１は、現在時刻の運転データから当該切替時刻における運転データを再現できる。したがって、再現用データは、計測データを再現するためのデータのみで構成できる。これにより、第２記憶部１３３に必要な記憶容量が少なくなる。
【００９６】
実施の形態３．
実施の形態３では、実施の形態１または実施の形態２で開示された例と相違する点について詳しく説明する。実施の形態３で説明しない特徴については、実施の形態１または実施の形態２で開示された例のいずれの特徴が採用されてもよい。
【００９７】
図８を用いてデータ取得システム１の機能を説明する。
図８は、実施の形態３に係るデータ取得システムにおけるデータの例を示す図である。
図８において、図２のエレベーターＥ２について３月の報告データを生成する場合を例として説明する。
【００９８】
遠隔監視装置１３の生成部１３２は、状態データを受信しうるように制御盤１１に接続される。生成部１３２は、受信する状態データによって再現用データを更新しうるように第２記憶部１３３に接続される。
【００９９】
生成部１３２は、３月１日の０時００分に、再現用データをリセットする。生成部１３２は、要素を空にすることによって再現用データの履歴データをリセットする。生成部１３２は、要素の値を例えば０にすることによって再現用データの計測データをリセットする。３月１日の０時００分は、２月の報告期間の終了時刻および３月の報告期間の開始時刻である。
【０１００】
異常または変調の事象を表す状態データを受信したときに、生成部１３２は、当該事象が発生した時刻と関連付けて当該事象を表すコードを再現用データＤ２の履歴データＤａの要素として追加する。巻上機９の起動を表す状態データを受信したときに、生成部１３２は、巻上機９の起動回数を表す再現用データＤ２の計測データＤｂの要素の値に１を加算する。生成部１３２は、履歴データＤａおよび計測データＤｂによって再現用データＤ２を生成する。生成部１３２は、再現用データＤ２を第２記憶部１３３に送信する。
【０１０１】
第２記憶部１３３は、再現用データＤ２を記憶している。第２記憶部１３３は、生成部１３２から受信した再現用データＤ２で上書きすることによって記憶している再現用データＤ２を更新する。３月の報告期間の間、第２記憶部１３３は、３月１日の０時００分を基点として、運転データＤ１と同一の変化によって再現用データＤ２を更新しながら記憶する。すなわち、再現用データＤ２は、３月１日の０時００分における運転データと現在時刻における運転データとの差分を表す。
【０１０２】
データ取得装置１４のデータ取得部１４１は、３月１０日の３時００分に、データ要求信号をエレベーターＥ２に対応する遠隔監視装置１３に送信する。３月１０日の３時００分は、データ取得テーブルによってエレベーターＥ２に対応づけられるデータ取得時刻である。
【０１０３】
データ要求信号を受信したときに、遠隔監視装置１３の送信部１３４は、第２記憶部１３３から再現用データＤ２を取得する。送信部１３４は、運転データＤ１および再現用データＤ２をデータ取得部１４１に送信する。
【０１０４】
データ取得部１４１は、再現用データＤ２が表す差分を運転データＤ１から引き戻すことによって３月１日の０時００分における運転データＤ１を再現する。データ取得部１４１は、運転データＤ１の履歴データＤａに含まれ、かつ、再現用データＤ２の履歴データＤａに含まれない要素を抽出することによって履歴データＤａを引き戻す。この例において、データ取得部１４１は、２月２５日に発生した事象Ａを表す要素およびそれ以前の時刻に発生した事象を表す要素を抽出する。データ取得部１４１は、運転データＤ１の計測データＤｂの要素の値から再現用データＤ２の計測データＤｂの要素の値を引くことによって計測データＤｂを引き戻す。この例において、データ取得部１４１は、運転データＤ１における起動回数３０３００回から再現用データＤ２における起動回数３００回を引いて計測データＤｂを３００００回に引き戻す。データ取得部１４１は、再現した運転データＤ１を運転データ記憶部１４２に送信する。
【０１０５】
この例のデータ取得時刻において、運転データＤ１の履歴データＤａは、３月２日に発生した事象Ｂを表す要素を持つ。再現用データＤ２の履歴データＤａは、３月２日に発生した事象Ｂを表す要素およびそれより前の時刻に発生した事象を表す要素を持つ。このように、再現用データＤ２の履歴データＤａの要素の数は、運転データＤ１の履歴データＤａの要素の数より少ない。すなわち、差分データである再現用データＤ２は、記憶容量の確保が必要な要素数が運転データＤ１より少ない。
【０１０６】
この例のデータ取得時刻において、運転データＤ１の計測データＤｂの起動回数を表す要素の値は、３０３００回である。３０３００は、符号なし整数として１５ビット以上の情報量である。再現用データＤ２の計測データＤｂの起動回数を表す要素の値は、３００回である。３００は、符号なし整数として９ビット以上の情報量である。このように、再現用データＤ２の計測データＤｂを表現するために必要なビット数は、運転データＤ１の計測データＤｂを表現するために必要なビット数より少ない。すなわち、差分データである再現用データＤ２は、記憶容量の確保が必要なビット数が運転データＤ１より少ない。
【０１０７】
運転データ記憶部１４２は、受信した２月の報告期間の終了時刻における運転データＤ１を記憶する。
【０１０８】
続いて、図９を用いて遠隔監視装置１３の動作を説明する。
図９は、実施の形態３に係る遠隔監視装置の動作の例を示すフローチャートである。
【０１０９】
ステップＳ３０１において、第１記憶部１３１は、受信した状態データに基づいて、記憶している運転データを更新する。その後、生成部１３２は、受信した状態データに基づいて、再現用データを生成する。その後、第２記憶部１３３は、生成部１３２から受信した再現用データに基づいて、記憶している再現用データを更新する。その後、遠隔監視装置１３の動作は、ステップＳ３０２に進む。
【０１１０】
ステップＳ３０２において、生成部１３２は、現在時刻が報告期間の切替時刻であるかを判定する。判定結果がＹｅｓの場合、遠隔監視装置１３の動作は、ステップＳ３０３に進む。判定結果がＮｏの場合、遠隔監視装置１３の動作は、ステップＳ３０４に進む。
【０１１１】
ステップＳ３０３において、生成部１３２は、再現用データをリセットする。その後、遠隔監視装置１３の動作は、ステップＳ３０４に進む。
【０１１２】
ステップＳ３０４において、送信部１３４は、データ要求信号を受信したかを判定する。判定結果がＮｏの場合、遠隔監視装置１３の動作は、ステップＳ３０１に進む。判定結果がＹｅｓの場合、遠隔監視装置１３の動作は、ステップＳ３０５に進む。
【０１１３】
ステップＳ３０５において、送信部１３４は、運転データおよび再現用データをデータ取得装置１４に送信する。その後、遠隔監視装置１３の動作は、ステップＳ３０１に進む。
【０１１４】
以上に説明したように、実施の形態３に係る複数の遠隔監視装置１３の各々は、報告期間の切替時刻における運転データと現在時刻における運転データとの差分を再現用データとして更新しながら記憶する。
【０１１５】
第２記憶部１３３は、再現用データとして差分を表すデータを記憶する。これにより、第２記憶部１３３に必要な記憶容量が少なくなる。
【０１１６】
実施の形態４．
実施の形態４では、実施の形態１から実施の形態３で開示された例と相違する点について詳しく説明する。実施の形態４で説明しない特徴については、実施の形態１から実施の形態４で開示された例のいずれの特徴が採用されてもよい。
【０１１７】
図１０を用いてデータ取得システム１の機能を説明する。
図１０は、実施の形態４に係るデータ取得システムにおけるデータの例を示す図である。
図１０において、図２のエレベーターＥ２について３月の報告データを生成する場合を例として説明する。
【０１１８】
遠隔監視装置１３の生成部１３２は、３月１日の０時００分に、再現用データＤ２の履歴データをリセットする。生成部１３２は、第１記憶部１３１から運転データＤ１の計測データＤｂを取得する。３月１日の０時００分は、２月の報告期間の終了時刻および３月の報告期間の開始時刻である。
【０１１９】
異常または変調の事象を表す状態データを受信したときに、生成部１３２は、当該事象が発生した時刻と関連付けて当該事象を表すコードを再現用データＤ２の履歴データＤａの要素として追加する。生成部１３２は、取得した計測データＤｂをコピーすることによって再現用データＤ２の計測データＤｂを生成する。生成部１３２は、履歴データＤａおよび計測データＤｂによって再現用データＤ２を生成する。生成部１３２は、再現用データＤ２を第２記憶部１３３に送信する。
【０１２０】
第２記憶部１３３は、再現用データＤ２を記憶している。第２記憶部１３３は、生成部１３２から受信した再現用データＤ２で上書きすることによって記憶している再現用データＤ２を更新する。３月の報告期間の間、第２記憶部１３３は、再現用データＤ２の一部として、３月１日の０時００分における運転データＤ１と同一の計測データＤｂを記憶している。３月の報告期間の間、第２記憶部１３３は、３月１日の０時００分を基点として、運転データＤ１の履歴データＤａと同一の変化によって再現用データＤ２の履歴データＤａを更新しながら記憶する。すなわち、再現用データＤ２の履歴データＤａは、３月１日の０時００分における運転データの履歴データと現在時刻における運転データの履歴データとの差分を表す。
【０１２１】
データ取得装置１４のデータ取得部１４１は、３月１０日の３時００分に、データ要求信号をエレベーターＥ２に対応する遠隔監視装置１３に送信する。３月１０日の３時００分は、データ取得テーブルによってエレベーターＥ２に対応づけられるデータ取得時刻である。
【０１２２】
データ要求信号を受信したときに、遠隔監視装置１３の送信部１３４は、第１記憶部１３１から運転データＤ１を取得する。送信部１３４は、第２記憶部１３３から再現用データＤ２を取得する。送信部１３４は、運転データＤ１および再現用データＤ２をデータ取得部１４１に送信する。
【０１２３】
データ取得部１４１は、運転データＤ１および再現用データＤ２によって３月１日の０時００分における運転データＤ１を再現する。データ取得部１４１は、再現した運転データＤ１を運転データ記憶部１４２に送信する。
【０１２４】
運転データ記憶部１４２は、受信した２月の報告期間の終了時刻における運転データＤ１を記憶する。
【０１２５】
以上に説明したように、実施の形態４に係る複数の遠隔監視装置１３の各々は、計測データおよび履歴データを運転データとして記憶する。計測データは、更新によって要素の値が変化する。履歴データは、更新によって要素が追加される。複数の遠隔監視装置１３の各々は、報告期間の切替時刻における計測データを再現用データの一部として記憶する。複数の遠隔監視装置１３の各々は、当該切替時刻における履歴データと現在時刻における履歴データとの差分を再現用データの他の一部として更新しながら記憶する。
【０１２６】
第２記憶部１３３は、再現用データの一部として履歴データの差分を表すデータを記憶する。これにより、第２記憶部１３３に必要な記憶容量が少なくなる。第２記憶部１３３は、切替時刻における運転データと同一の計測データを記憶する。これにより、データ取得部１４１は、例えばコピーによって容易に運転データの計測データを再現できる。
【０１２７】
実施の形態５．
実施の形態５では、実施の形態１から実施の形態４で開示された例と相違する点について詳しく説明する。実施の形態５で説明しない特徴については、実施の形態１から実施の形態５で開示された例のいずれの特徴が採用されてもよい。
【０１２８】
図１１を用いてデータ取得システム１の機能を説明する。
図１１は、実施の形態５に係るデータ取得システムにおけるデータの例を示す図である。
図１１において、図２のエレベーターＥ２について３月の報告データを生成する場合が例として説明される。
【０１２９】
遠隔監視装置１３の生成部１３２は、３月１日の０時００分に、再現用データＤ２をリセットする。３月１日の０時００分は、２月の報告期間の終了時刻および３月の報告期間の開始時刻である。
【０１３０】
巻上機９の起動を表す状態データを受信したときに、生成部１３２は、巻上機９の起動回数を表す再現用データＤ２の要素の値に１を加算することによって再現用データを生成する。生成部１３２は、再現用データＤ２を第２記憶部１３３に送信する。
【０１３１】
第２記憶部１３３は、再現用データＤ２を記憶している。第２記憶部１３３は、生成部１３２から受信した再現用データＤ２で上書きすることによって記憶している再現用データＤ２を更新する。３月の報告期間の間、第２記憶部１３３は、３月１日の０時００分を基点として、運転データＤ１の計測データＤｂと同一の変化によって再現用データＤ２を更新しながら記憶する。すなわち、再現用データＤ２は、３月１日の０時００分における運転データの計測データと現在時刻における運転データの計測データとの差分を表す。
【０１３２】
データ取得装置１４のデータ取得部１４１は、３月１０日の３時００分に、データ要求信号をエレベーターＥ２に対応する遠隔監視装置１３に送信する。３月１０日の３時００分は、データ取得テーブルによってエレベーターＥ２に対応づけられるデータ取得時刻である。
【０１３３】
データ要求信号を受信したときに、遠隔監視装置１３の送信部１３４は、第１記憶部１３１から運転データＤ１を取得する。送信部１３４は、第２記憶部１３３から再現用データＤ２を取得する。送信部１３４は、運転データＤ１および再現用データＤ２をデータ取得部１４１に送信する。
【０１３４】
データ取得部１４１は、運転データＤ１および再現用データＤ２によって３月１日の０時００分における運転データＤ１を再現する。データ取得部１４１は、再現した運転データＤ１を運転データ記憶部１４２に送信する。
【０１３５】
運転データ記憶部１４２は、受信した２月の報告期間の終了時刻における運転データＤ１を記憶する。
【０１３６】
以上に説明したように、実施の形態５に係る複数の遠隔監視装置１３の各々は、計測データおよび履歴データを運転データとして記憶する。計測データは、更新によって要素の値が変化する。履歴データは、更新によって時刻と関連付けられた要素が追加される。複数の遠隔監視装置１３の各々は、報告期間の切替時刻における計測データと現在時刻における計測データとの差分を再現用データとして更新しながら記憶する。
【０１３７】
第２記憶部１３３は、再現用データとして計測データの差分を表すデータを記憶する。これにより、第２記憶部１３３に必要な記憶容量が少なくなる。履歴データの要素は、時刻と関連付けられる。このため、データ取得部１４１は、現在時刻の運転データから切替時刻における運転データを再現できる。したがって、再現用データは、計測データを再現するためのデータのみで構成できる。これにより、第２記憶部１３３に必要な記憶容量がより少なくなる。
【産業上の利用可能性】
【０１３８】
本発明に係るデータ取得システムは、運転データを通信する複数のエレベーターに適用できる。
【符号の説明】
【０１３９】
１  データ取得システム、  １ａ  ハードウェア、  １ｂ  プロセッサ、  １ｃ  メモリ、  ２  エレベーター、  ３  建築物、  ４  昇降路、  ５  乗場、  ６  乗場扉、  ７  かご、  ８  釣合オモリ、  ９  巻上機、  １０  主ロープ、  １１  制御盤、  １２  かご扉、  １３  遠隔監視装置、  １４  データ取得装置、  １５  通信回線、  １３１  第１記憶部、  １３２  生成部、  １３３  第２記憶部、  １３４  送信部、  １４１  データ取得部、  １４２  運転データ記憶部、  １４３  報告データ生成部
【図１】
2019193656.tif 000003
【図２】
2019193656.tif 000004
【図３】
2019193656.tif 000005
【図４】
2019193656.tif 000006
【図５】
2019193656.tif 000007
【図６】
2019193656.tif 000008
【図７】
2019193656.tif 000009
【図８】
2019193656.tif 000010
【図９】
2019193656.tif 000011
【図１０】
2019193656.tif 000012
【図１１】
2019193656.tif 000013
【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
エレベーターの運転データを各々が更新しながら記憶し、互いに同一の報告期間の切替時刻における前記運転データを前記切替時刻の後に再現するための再現用データを各々が記憶する複数の記憶装置と、
前記複数の記憶装置の各々から前記切替時刻の後の互いに異なる時刻に前記再現用データを取得し、前記切替時刻における運転データを再現するデータ取得装置と、
を備えるエレベーターのデータ取得システム。
【請求項２】
前記複数の記憶装置の各々は、前記切替時刻における運転データを前記再現用データとして記憶する請求項１に記載のエレベーターのデータ取得システム。
【請求項３】
前記複数の記憶装置の各々は、更新によって要素の値が変化する計測データおよび更新によって時刻と関連付けられた要素が追加される履歴データを運転データとして記憶し、前記切替時刻における計測データを前記再現用データとして記憶する請求項１に記載のエレベーターのデータ取得システム。
【請求項４】
前記複数の記憶装置の各々は、前記切替時刻における運転データと現在時刻における運転データとの差分を再現用データとして更新しながら記憶する請求項１に記載のエレベーターのデータ取得システム。
【請求項５】
前記複数の記憶装置の各々は、更新によって要素の値が変化する計測データおよび更新によって要素が追加される履歴データを運転データとして記憶し、前記切替時刻における計測データを前記再現用データの一部として記憶し、前記切替時刻における履歴データと現在時刻における履歴データとの差分を再現用データの他の一部として更新しながら記憶する請求項１に記載のエレベーターのデータ取得システム。
【請求項６】
前記複数の記憶装置の各々は、更新によって要素の値が変化する計測データおよび更新によって時刻と関連付けられた要素が追加される履歴データを運転データとして記憶し、前記切替時刻における計測データと現在時刻における計測データとの差分を再現用データとして更新しながら記憶する請求項１に記載のエレベーターのデータ取得システム。
【手続補正２】
【補正対象書類名】明細書
【補正対象項目名】０００６
【補正方法】変更
【補正の内容】
【０００６】
本発明に係るエレベーターのデータ取得システムは、エレベーターの運転データを各々が更新しながら記憶し、互いに同一の報告期間の切替時刻における運転データを切替時刻の後に再現するための再現用データを各々が記憶する複数の記憶装置と、複数の記憶装置の各々から切替時刻の後の互いに異なる時刻に再現用データを取得し、切替時刻における運転データを再現するデータ取得装置と、を備える。
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
エレベーターの運転データを各々が更新しながら記憶し、互いに同一の報告期間の切替時刻における前記運転データを前記切替時刻の後に再現するための再現用データを各々が記憶する複数の記憶装置と、
前記複数の記憶装置の各々から前記切替時刻の後の互いに異なる時刻に前記再現用データを取得し、前記切替時刻における運転データを再現するデータ取得装置と、
を備え、
前記複数の記憶装置の各々は、前記切替時刻における運転データと現在時刻における運転データとの差分を再現用データとして更新しながら記憶する
エレベーターのデータ取得システム。
【請求項２】
エレベーターの運転データを各々が更新しながら記憶し、互いに同一の報告期間の切替時刻における前記運転データを前記切替時刻の後に再現するための再現用データを各々が記憶する複数の記憶装置と、
前記複数の記憶装置の各々から前記切替時刻の後の互いに異なる時刻に前記再現用データを取得し、前記切替時刻における運転データを再現するデータ取得装置と、
を備え、
前記複数の記憶装置の各々は、更新によって要素の値が変化する計測データおよび更新によって要素が追加される履歴データを運転データとして記憶し、前記切替時刻における計測データを前記再現用データの一部として記憶し、前記切替時刻における履歴データと現在時刻における履歴データとの差分を再現用データの他の一部として更新しながら記憶する
エレベーターのデータ取得システム。
【請求項３】
エレベーターの運転データを各々が更新しながら記憶し、互いに同一の報告期間の切替時刻における前記運転データを前記切替時刻の後に再現するための再現用データを各々が記憶する複数の記憶装置と、
前記複数の記憶装置の各々から前記切替時刻の後の互いに異なる時刻に前記再現用データを取得し、前記切替時刻における運転データを再現するデータ取得装置と、
を備え、
前記複数の記憶装置の各々は、更新によって要素の値が変化する計測データおよび更新によって時刻と関連付けられた要素が追加される履歴データを運転データとして記憶し、前記切替時刻における計測データと現在時刻における計測データとの差分を再現用データとして更新しながら記憶する
エレベーターのデータ取得システム。
【手続補正２】
【補正対象書類名】明細書
【補正対象項目名】０００６
【補正方法】変更
【補正の内容】
【０００６】
本発明に係るエレベーターのデータ取得システムは、エレベーターの運転データを各々が更新しながら記憶し、互いに同一の報告期間の切替時刻における運転データを切替時刻の後に再現するための再現用データを各々が記憶する複数の記憶装置と、複数の記憶装置の各々から切替時刻の後の互いに異なる時刻に再現用データを取得し、切替時刻における運転データを再現するデータ取得装置と、を備え、複数の記憶装置の各々は、切替時刻における運転データと現在時刻における運転データとの差分を再現用データとして更新しながら記憶する。
本発明に係るエレベーターのデータ取得システムは、エレベーターの運転データを各々が更新しながら記憶し、互いに同一の報告期間の切替時刻における運転データを切替時刻の後に再現するための再現用データを各々が記憶する複数の記憶装置と、複数の記憶装置の各々から切替時刻の後の互いに異なる時刻に再現用データを取得し、切替時刻における運転データを再現するデータ取得装置と、を備え、複数の記憶装置の各々は、更新によって要素の値が変化する計測データおよび更新によって要素が追加される履歴データを運転データとして記憶し、切替時刻における計測データを再現用データの一部として記憶し、切替時刻における履歴データと現在時刻における履歴データとの差分を再現用データの他の一部として更新しながら記憶する。
本発明に係るエレベーターのデータ取得システムは、エレベーターの運転データを各々が更新しながら記憶し、互いに同一の報告期間の切替時刻における運転データを切替時刻の後に再現するための再現用データを各々が記憶する複数の記憶装置と、複数の記憶装置の各々から切替時刻の後の互いに異なる時刻に再現用データを取得し、切替時刻における運転データを再現するデータ取得装置と、を備え、複数の記憶装置の各々は、更新によって要素の値が変化する計測データおよび更新によって時刻と関連付けられた要素が追加される履歴データを運転データとして記憶し、切替時刻における計測データと現在時刻における計測データとの差分を再現用データとして更新しながら記憶する。
【国際調査報告】
2019193656.tif 000014
2019193656.tif 000015
2019193656.tif 000016
2019193656.tif 000017